(57)【要約】【課題】本発明は振動板とそれを用いたスピーカに関するものであり、共振レベルを下げることにより、信号再生特性を出来るだけ平坦化することを目的とするものである。【解決手段】そしてこの目的を達成するために本発明は、振動板９は、中央部にボイスコイル７固定用の貫通孔１０、外周部にエッジ１２の固定部を有する外周形状が略円形の一枚の振動板であって、この振動板９の外周形状は、半径の異なる第一，第二の円形体９Ａ，９Ｂを、それぞれの中心点９ａ，９ｂをずらした状態で、しかもこれらの第一，第二の円形体９Ａ，９Ｂの外周形状の少なくとも一部が全体形状の略円形の外周形状の一部を形成するごとく重ねた形状としている。【選択図】図２
2006148636.tif 000002
【特許請求の範囲】
【請求項１】
中央部にボイスコイル固定用の貫通孔、外周部にエッジ固定部を有する外周形状が略円形の一枚の振動板であって、この振動板の外周形状は、半径の異なる第一，第二の円形体を、それぞれの中心点をずらした状態で、しかもこれらの第一，第二の円形体の外周形状の少なくとも一部が全体形状の略円形の外周形状の一部を形成するごとく重ねた形状とした振動板。
【請求項２】
第一，第二の円形体の中心点は、全体形状の中心点とはずらせた請求項１に記載の振動板。
【請求項３】
磁気ギャップを有する磁気回路と、この磁気回路の磁気ギャップ内にその一部が挿入された円筒状のボイスコイルと、このボイスコイルの一部に固定された一枚の振動板とを備え、前記振動板は、中央部にボイスコイル固定用の貫通孔、外周部にエッジ固定部を有する外周形状が略円形の振動板であって、この振動板の外周形状は、半径の異なる第一，第二の円形体を、それぞれの中心点をずらした状態で、しかもこれらの第一，第二の円形体の外周形状の少なくとも一部が全体形状の略円形の外周形状の一部を形成するごとく重ねた形状とし、その貫通孔内に、前記ボイスコイルの一部を挿入し、固定したスピーカ。
【請求項４】
振動板の第一，第二の円形体の中心点は、振動板の全体形状の中心点とはずらせた請求項３に記載の振動板。
【発明の詳細な説明】
【技術分野】
【０００１】
本発明は振動板とそれを用いたスピーカに関するものである。
【背景技術】
【０００２】
スピーカには、それぞれ固有の共振振動周波数が発生する。
【０００３】
このため、その共振振動周波数だけは他の周波数に比べ、再生レベルが異常に高くなってしまい、適切な信号再生が出来ないという問題があった。
【０００４】
そこで、振動板の外周形状を、例えば楕円形にすることによって、固有振動周波数における共振レベルを抑えることが提案されている（例えば特許文献１）。
【特許文献１】特開平７−１６２９９２号公報
【発明の開示】
【発明が解決しようとする課題】
【０００５】
上記従来例のごとく、振動板の外周形状を、例えば楕円形にすることによって、固有振動周波数における共振レベルを抑えるものは、共振レベルを抑えることに対し、ある程度の効果は認められるものの、依然固有振動周波数における共振レベルの高さが問題になっている。
【０００６】
その理由は明解になってはいないが、恐らく楕円形状にしたものでは、振動板外周から中心点を無数引いた状態で、何れの中心線も、振動板の中心点からの左右の距離が一定となり、このことが共振レベルをそれ程下げられないことになっているものと思われる。
【０００７】
そこで本発明は、共振レベルを下げることにより、信号再生特性を出来るだけ平坦化することを目的とするものである。
【課題を解決するための手段】
【０００８】
そしてこの目的を達成するために本発明は、中央部にボイスコイル固定用の貫通孔、外周部にエッジ固定部を有する外周形状が略円形の一枚の振動板であって、この振動板の外周形状は、半径の異なる第一，第二の円形体を、それぞれの中心点をずらした状態で、しかもこれらの第一，第二の円形体の外周形状の少なくとも一部が全体形状の略円形の外周形状の一部を形成するごとく重ねた形状としたものである。
【０００９】
つまり本発明においては、外周形状のほとんどの部分から引いた中心線が、その中心点の左右からの距離が異なることとなり、このことが共振レベルを大幅に引き下げることになり、この結果として信号再生特性を出来るだけ平坦化することができるようになる。
【発明の効果】
【００１０】
以上のように本発明は、中央部にボイスコイル固定用の貫通孔、外周部にエッジ固定部を有する外周形状が略円形の一枚の振動板であって、この振動板の外周形状は、半径の異なる第一，第二の円形体を、それぞれの中心点をずらした状態で、しかもこれらの第一，第二の円形体の外周形状の少なくとも一部が全体形状の略円形の外周形状の一部を形成するごとく重ねた形状としたものであるので、外周形状のほとんどの部分から引いた中心線が、その中心点の左右からの距離が異なることとなり、このことが共振レベルを大幅に引き下げることになり、この結果として信号再生特性を出来るだけ平坦化することができるようになる。
【発明を実施するための最良の形態】
【００１１】
以下本発明の一実施形態を添付図面を用いて説明する。
【００１２】
図１において、１は皿状のフレームで、その内部底面には、磁気回路２が収納されている。磁気回路２は磁石３と、ヨーク４と、プレート５とからなり、ヨーク４とプレート５の先端間で磁気ギャップ６が形成されている。
【００１３】
この磁気ギャップ６内には円筒状のボイスコイル７の下端部分のコイル８部分が、可動自在に収納されている。また、このボイスコイル７の上端は振動板９の中央の貫通孔１０を貫通し、この貫通部分で接着剤により固定されている。さらにボイスコイル７の上端にはキャップ１１が被せられている。
【００１４】
振動板９は図１、図２に示すように、中央部にボイスコイル７固定用の貫通孔１０、外周部にエッジ１２の固定部を有する外周形状が略円形の一枚の振動板であって、この振動板９の外周形状は、半径の異なる第一，第二の円形体９Ａ，９Ｂを、それぞれの中心点９ａ，９ｂをずらした状態で、しかもこれらの第一，第二の円形体９Ａ，９Ｂの外周形状の少なくとも一部が全体形状の略円形の外周形状の一部を形成するごとく重ねた形状としている。
【００１５】
この点をさらに説明すると、振動板９の外周でＡ点から時計回りにＢ点まで小形の円形体９Ｂの外周が表れており、Ｂ点から時計回りにＢ点まで大形の円形体９Ａの外周が表れている。このため、振動板９はその中心点９ｃからの外周形状のほとんどの部分から引いた中心線が、その中心点９ｃの左右からの距離が異なることとなる（中心線Ｋ部分だけは中心点９ｃの左右の距離が同じ）。このことが共振レベルを大幅に引き下げることになり、この結果として信号再生特性を図３のＡ線のごとく、従来のＢ線に比べて平坦化することができた。
【００１６】
なお、図１に示すエッジ１２は上方に突出した半円形のクッション部分１２ａが図２のごとく円形となっている。またこのクッション部分１２ａの外周には、円形で、フレーム１に固定するためのフランジ１２ｂが、さらにクッション部分１２ａの内周には、円形で、振動板９に固定するためのフランジ１２ｃがそれぞれ設けられている。
【００１７】
なお、振動板９の下面には、リング状のダンパー１３の内端側が固定され、このダンパー１３の外周端はエッジ１４を介してフレーム１に固定されている。
【産業上の利用可能性】
【００１８】
本発明の振動板は、信号再生特性を従来に比べて平坦化することができるので、これをスピーカに採用すれば、適切な信号再生が出来る。
【図面の簡単な説明】
【００１９】
【図１】本発明のスピーカの一実施の形態を示す断面図
【図２】その振動板部分の平面図
【図３】その信号再生特性図
【符号の説明】
【００２０】
２  磁気回路
６  磁気ギャップ
７  ボイスコイル
９  振動板
１０  貫通孔
９Ａ、９Ｂ  第一，第二の円形体
９ａ，９ｂ  中心点
【図１】
2006148636.tif 000003
【図２】
2006148636.tif 000004
【図３】
2006148636.tif 000005